(57)【要約】【課題】  容器の内容物を、定量はかり取り出す、振りもどし計量器を提供する。【解決手段】  中空の部材の本体、下開口部を有する底板、上開口部を有する天板に、仕切り板としての枠を設けて、計量が出来る計量部からなり、本体の下部に底板を設け、本体の上部に計量部を対向して設けた振りもどし計量器。この振りもどし計量器を、蓋を具備した内容物を有する容器の口に本体下部よりはめこみ、蓋を閉めて逆さにして数回振り、本体内部に容器の内容物を流入させて溜める。次にまた元にもどして数回振ると計量部にだけ内容物が残存し、他は全て容器の中に戻るので蓋をあけて取り出す。以上を特徴とするふりもどし計量器。【選択図】図１
2014186014.tif 000002
【特許請求の範囲】
【請求項１】
中空の部材の本体、下開口部を有する底板、上開口部を有する天板に仕切り板としての枠を設けて計量ができる計量部からなり、本体下部に下開口部を有する底板を設け、本体上部の上開口部を有する天板に、仕切り板としての枠を設けて計量ができる計量部を、本体下部の下開口部を有する底板と対向して設け、蓋を具備した容器にはめ込み使用することを特徴とする振りもどし計量器。
【請求項２】
本体下部の底板の上方に、中開口部を有する第２の底板を対向して設け、第２の底板の上方に、計量部を対向して設けた請求項１の振りもどし計量器。
【請求項３】
複数の凹部を設けた天板に、隙間を有する枠を設けた計量部から成る請求項１の振りもどし計量器。
【請求項４】
本体の最上部に蓋を設け、本体下部の底板の下方を、既存の容器の口に螺着できる冠着部を設けた請求項１の振りもどし計量器。
【発明の詳細な説明】
【技術分野】
【０００１】  本発明は、蓋を具備した容器の口にはめ込み、内容物を定量はかり取り出す、振りもどし計量器に関するものである。
【背景技術】
【０００２】  従来、容器の内容物を定量とり出す時、その容器付属のキャップや計量スプーンなどを使用していた。
【発明の概要】
【発明が解決しようとする課題】
【０００３】そのために、つぎのような問題点があった。
（イ）  容器の内容物を内側に目盛りのついた付属のキャップで定量を量る時、１度で決まらないことが多い。
（ロ）  付属の計量スプーンが無く、別に用意した計量スプーンを使用する以外に定量を量るすべが無い物がある。
（ハ）  漂白剤などの液体製品を量るときは、あふれたりしないよう、扱いに神経をつかう。
（ニ）  薬ビンなどから錠剤を定数だけ取り出す時、付属のフタの内側や手の平で受けたりすることがあるが、薬ビンからうまく出てこないことや、錠剤が飛び出してきて落としてしまうこともよくある。
本発明は以上の問題点を解決しようとするものである。
【課題を解決するための手段】
【０００４】  図１に示すように中空の部材の本体（１）、下開口部（６）を有する底板（２）、上開口部（７）を有する天板（３）に仕切り板としての枠（４）を設けて、計量ができる計量部（５）からなり、本体（１）下部に底板（２）を設け、本体（１）上部に計量部（５）を対向して設ける。
たとえば、粉末や粒状のものなどを内容した蓋付容器の蓋をあけ、容器の口に本体（１）を下部の下開口部を有する底板（２）よりはめ込み、蓋を閉め逆さにして数回ふると、容器の内容物が本体（１）下部の下開口部（６）より本体（１）内部に流入し、容器の蓋の内側を底にして本体（１）内部に溜まる。次に容器を返して元にもどし数回ふると、内容物は本体（１）上部に設けた計量部（５）にだけ残存し、他は全て本体（１）下部の下開口部（６）より容器の中に落ちるので、蓋をあけて取り出す。尚、容器から本体（１）内部への、内容物の流入量の調整は底板（２）及び天板（３）の大きさを変えることで解決する。
以上の構成よりなる振りもどし計量器。【０００５】  また、液体を計量する場合は、容器より本体（１）内部への液体の流入量の調整は底板（２）及び天板（３）の大きさを変えるほかに、本体（１）下部に設けた底板（２）と上部に設けた計量部（５）の間に、第２の開口部を有する底板をひとつ設けることが必要で、図６で示すように本体（１）下部の下開口部（６）を有する底板（２）の上方に、中開口部（１３）を有する第２底板（１４）を対向して設け、第２底板（１４）の上方に、上開口部（７）を有する天板（３）に仕切り板としての枠（４）を設けた計量部（５）を対向して設ける。
尚、液体計量の場合は容器を逆さにして、また元にもどすだけで良く、振る必要はない。【０００６】  また、錠剤内容の容器から錠剤を定数取り出す場合は、図３で示すように中空の部材の本体（１）の下部に下開口部（６）を有する底板（２）を設け、図５で示すように錠剤（１２）が嵌まる凹部（９）を複数設けた、上開口部（７）を有する錠剤用天板（８）を対向して設け、その錠剤用天板（８）に錠剤（１２）が通り抜ける隙間を中ほどに有した錠剤用枠（１０）を設けた錠剤用計量部（１１）にする（図４参照）。
【発明の効果】
【０００７】  本発明は容器の口に、それぞれに必要な容量を計量できる着脱自在の計量器を嵌めこむことで、内容物を他の物にうつして量る手間がなく、一定した量がはがれ、手や指をよごす心配もない。
【発明を実施するための形態】
【実施例１】
【０００８】  先ず、内容物が粉末及び粒状のときの本発明の実施の形態を説明する。
（ア）図１で示すように、中空の本体（１）の下部に、下開口部（６）を有する底板（２）を設ける。
（イ）本体（１）の上部に上開口部（７）を有する天板（３）を、本体（１）下部に設けた底板（２）と対向して設ける。
（ウ）本体（１）の上部に設けた天板（３）に仕切り板としての枠（４）を設けて、計量ができる計量部（５）を作る。
尚、容器から本体内部への内容物の流入量の調整は底板（２）及び天板（３）の大きさを変えることで解決する。
【実施例２】
【０００９】  内容物が液体のとき、本体（１）内部への流入量の調整は底板（２）及び天板（３）の大きさを変えるほかに、より良く調整するための実施の形態を説明する。
（イ）図６で示すように本体（１）の下部に、下開口部（６）を有する底板（２）を設ける。
（ロ）図６で示すように底板（２）の上方に中開口部（１３）を有する第２底板（１４）を対向して設ける。
（ハ）図６で示すように第２底板（１４）の上方に、上開口部（７）を有する天板（３）に仕切り板としての枠（４）を設けて、計量ができる計量部（５）を対向して設ける。
【実施例３】
【００１０】    錠剤内容の容器から、錠剤を定数取り出す実施の形態を説明する。
（ア）図３で示すように、本体（１）の下部に下開口部（６）を有する底板（２）を設ける。
（イ）図５で示すように、錠剤（１２）が嵌まる凹部（９）を定数設けた、上開口部（７）を有する錠剤用天板（８）を、下方の底板（２）と対向して設ける（図３参照）。
（ウ）図３で示すように錠剤用天板（８）に錠剤（１２）が通り抜ける隙間を中ほどに有した、錠剤用枠（１０）を設けて錠剤用計量部（１１）にする。
【実施例４】
【００１１】  図７で示すように、本体の最上部に蓋（１５）を設けた蓋付き本体（１６）下部の底板（２）の下方を、既存の容器（１８）の口に螺着できるよう形設した冠着部（１７）を設ける。尚、上記の蓋付本体（１５）と容器を合体して成形しても良い。
本発明は以上の構成よりなっている。【００１２】  次に本発明の使用方法を粉末コーヒー（２０）内容のコーヒーボトル（２１）を使い説明する（図８参照）。
図８で示すように本体（１）はコーヒーボトル（２１）の口に、着脱自在で適確にはめこめる口径の円筒で、本体（１）下部の底板（２）を下にして、コーヒーボトル（２１）の口にはめこんだ時、本体（１）最上部の縁はコーヒーボトル（２１）の口の縁より出ず同等で、キャップ（１９）が確実にしまる。まず、本体（１）をコーヒーボトル（２１）の口に、下部の底板（２）よりはめ込み、キャップ（１９）を閉め、コーヒーボトル（２１）を逆さにして数回振ると、粉末コーヒー（２０）が底板（２）の前の下開口部（６）から本体（１）の内部に流入し、計量部（５）の前の上開口部（７）を通り、キャップ（１９）の内側を底にして本体（１）内部に溜まる。
次にコーヒーボトル（２１）を返して元にもどし数回振ると、本体（１）内部に残存していた粉末コーヒー（２０）は、一杯分の粉末コーヒー（２０）量約２グラムが収まるよう形設した計量部（５）にだけ残存し（図１０参照）、その他の粉末コーヒー（２０）は全て、底板（２）の前の下開口部（６）からコーヒーボトル（２１）の中に落ちてしまうので、キャップ（１９）をあけて計量部（５）を下側にして傾け、計量部（５）に残存している粉末コーヒー（２０）をカップ（２３）にあけて取り出す（図１１参照）。
尚、粉末コーヒー（２０）を取り出す時、コーヒーボトル（２１）を傾けても本体（１）下部の底板（２）が遮断し、粉末コーヒー（２０）は本体（１）内部には流入してこない。【００１３】  次に錠剤（１２）を定数取り出す際の説明をする。錠剤内容の容器の蓋をあけ、本体（１）下部の底板（２）を下にして容器の口にはめこみ、蓋をしめ逆さにして数回ふると、錠剤（１２）は下開口部（６）より流入し、蓋の内側を底にして本体（１）内部に溜まる。次に元にもどして数回振ると、錠剤（１２）は錠剤用計量部（１１）の、錠剤用天板（８）に定数設けた凹部（９）に嵌まり残存するほかは全て、錠剤用枠（１０）に有した隙間から下開口部（６）を通り容器のなかに落ちる。そこで、蓋をあけ錠剤用計量部（１１）を下側にして傾けて取り出す。【００１４】  また、図７で示すように、本体最上部に蓋（１５）を設けた蓋付き本体（１６）下部の、下開口部（６）を有する底板（２）の下方に、使用する既存の容器（１８）の口に螺着できるよう形設した冠着部（１７）を設ける。これは、たとえば口が狭い容器で、本体（１）を中にはめこむ事ができない場合や、容器の内容物が満杯で、本体（１）をはめ込む余裕がない製品などに良い。また、蓋付き本体（１６）と容器（１８）を合体して成形しても良い。
【図面の簡単な説明】
【００１５】
【図１】  本発明の斜視図
【図２】  第１図のＡ−Ａ断面図
【図３】  本発明の実施例の錠剤用本体の斜視図
【図４】  本発明の実施例の錠剤用本体の平面図
【図５】  本発明の実施例の錠剤用天板の部分拡大断面図
【図６】  本発明の実施例の液体用本体の断面図
【図７】  本発明の使用状態を示す蓋付き本体の断面図
【図８】  本発明の使用状態を示す断面図
【図９】  本発明の使用状態を示す斜視図
【図１０】  本発明の使用状態を示す斜視図
【図１１】  本発明の使用状態を示す斜視図
【符号の説明】
【００１６】  １  本体
２  底板
３  天板
４  枠
５  計量部
６  下開口部
７  上開口部
８  錠剤用天板
９  凹部
１０  錠剤用枠
１１  錠剤用計量部
１２  錠剤
１３  中開口部
１４  第２底板
１５  蓋
１６  蓋付き本体
１７  冠着部
１８  容器
１９  キャップ
２０  粉末コーヒー
２１  コーヒーボトル
２２  手
２３  カップ
【図１】
2014186014.tif 000003
【図２】
2014186014.tif 000004
【図３】
2014186014.tif 000005
【図４】
2014186014.tif 000006
【図５】
2014186014.tif 000007
【図６】
2014186014.tif 000008
【図７】
2014186014.tif 000009
【図８】
2014186014.tif 000010
【図９】
2014186014.tif 000011
【図１０】
2014186014.tif 000012
【図１１】
2014186014.tif 000013